(57)【特許請求の範囲】
【請求項１】
床板基材に温水パイプユニットを内蔵し、側面に嵌合係止部とコネクタ−部が設けられ、表面に化粧材を設けた温水パネルであって、隣接温水パネルどうしの間で前記コネクタ−部を密接させることで相互に温水を通水可能とする温水パネルにおいて、該コネクタ−部が温水パネル側面に形成された前記嵌合係止部と嵌合係止部との間に設けられており、前記コネクタ−部が凹状体と、該凹状体と嵌着する凸状体とから構成されており、該凹状体の内周面及び凸状体の外周面が弾性体で覆われており、該凹状体の内周面には小孔が、凸状体の外周面には小突起が設けられ、前記温水パネル側面のコネクタ−部の凹状体が凸状体を介して隣接温水パネルの凹状体と密接することで隣接温水パネル相互に温水を通水可能としたことを特徴とする床暖房用温水パネル。
【請求項２】
前記コネクタ−部の凹状体の外周面及び内周面が、その開口部先端にいくに従って、開口が広がる方向のテ−パ−面を有しており、凸状体の外周面及び内周面が、その両端にいくに従って、開口が狭くなる方向のテ−パ−面を有しており、前記凹状体と凸状体のそれぞれのテ−パ−面の傾斜角度が略等しく形成されており、前記凹状体内部に凸状体が嵌着されることにより、隣接温水パネルの凹状体どうしが密接することを特徴とする請求項１に記載の床暖房用温水パネル。
【請求項３】
前記表面化粧材と床板基材とを係止具によって相互に脱着可能としたことを特徴とする請求項１又は２に記載の床暖房用温水パネル。
【発明の詳細な説明】
【０００１】
【発明の属する技術分野】
本発明は床暖房用パネルに関するものであり、詳しくはコネクタ−式の温水床暖房パネルに関するものである。
【０００２】
【従来の技術】
従来、建物の温水式床暖房には床仕上げ材そのものに温水パイプを内蔵した一体型タイプのものと表面の床仕上げ材と温水パイプ内蔵部分が別々の分離型タイプの２種類があった。分離型のものは床下地材の上に温水パネルを敷設し、その上に床仕上げ材を施工して仕上げられた構造のもので、温水パネルとその上に施工された床仕上げ材とはそれぞれ分離された構造を有しており、従来このタイプのものが主流であった。しかしながら、上記、分離型では一旦温水パネルを施工した後、その上に床仕上げ材を貼着しなければならず施工手間が２重にかかりコスト高になっていた。
【０００３】
そこで、床仕上げ材そのものに温水パイプを内蔵した前記一体型タイプのものが種々提案されており、例えば、特開平９−２８７７５１号公報には温水パイプが内蔵された床仕上げ材を敷設し、温水パイプの出入部を床材短辺側より温水パネル裏面へ導出し、温水供給用ヘッダ−管及び排出用ヘッダ−管に接続し、ヘッダ−管の上方の床部の端部に蓋用床材を設けた温水暖房床の設置構造が記載されている。
【０００４】
また、特開平８−１４４４９０号公報には、温水放熱配管の引き廻し部分のフロ−リングを取り外し自在にすることで、フロ−リング工事終了後、配管工事を行う場合には、配管工事業者がこの引き廻し部フロ−リングを取り外して配管工事を行い、工事終了後に配管業者が引き廻し部フロ−リングを元に戻すタイプのものが記載されている。
【０００５】
また、特開平１１−３０４１７０号公報には床下地の上に温水パイプを内蔵した床暖房パネルを敷設し、床暖房パネルの端部に温水パイプの接続部を露出して設け、床暖房パネルに隣接したヘッダ−に温水パイプの接続部を接続し、その上に端部パネルを被せて蓋をする構造の温水暖房床について記載されている。
【０００６】
【発明が解決しようとする課題】
しかしながら、特開平９−２８７７５１号公報、特開平８−１４４４９０号公報、及び、特開平１１−３０４１７０号公報に記載のものは、いずれも配管接続作業時にその部分の床材を一時的に取り外して作業を行い、配管接続作業完了後、その箇所を床板で蓋をしなければならず、施工後この箇所の床板に継ぎ目が発生しその部分の意匠性の低下はまぬがれ得なかった。さらに、その箇所を蓋するための施工手間が余分にかかるという欠点があった。
【０００７】
【課題を解決するための手段】
上記課題を解決するためになされた、本発明の請求項１に記載の発明は、床板基材に温水パイプユニットを内蔵し、側面に嵌合係止部とコネクタ−部が設けられ、表面に化粧材を設けた温水パネルであって、隣接温水パネルどうしの間で前記コネクタ−部を密接させることで相互に温水を通水可能とする温水パネルにおいて、該コネクタ−部が温水パネル側面に形成された前記嵌合係止部と嵌合係止部との間に設けられており、前記コネクタ−部が凹状体と、該凹状体と嵌着する凸状体とから構成されており、該凹状体の内周面及び凸状体の外周面が弾性体で覆われており、該凹状体の内周面には小孔が、凸状体の外周面には小突起が設けられ、前記温水パネル側面のコネクタ−部の凹状体が凸状体を介して隣接温水パネルの凹状体と密接することで隣接温水パネル相互に温水を通水可能としたことを特徴とする。
【０００８】
係る構成から、隣接する温水パネルのコネクタ−部どうしをワンタッチで極めて簡単に、しかも安定した連結強度をもって連結することができる。しかも、コネクタ−部が床板相互の嵌合係止部の嵌合強度を補う形で働くので施工時、より一段としっかりした床板相互の結合が可能となる。さらに、温水パネル側面での接続であるため、従来タイプのように、床板表面に設けられた蓋板を取り外して床板表面に開口した接続箇所を配管し、その作業終了後に蓋を塞ぐというような煩雑な作業から開放される。また、蓋板の継ぎ目による床板の表面意匠性の低下からも開放される。
【０００９】
本発明の請求項２の発明は、請求項１に記載の床暖房用温水パネルにおいて、前記コネクタ−部の凹状体の外周面及び内周面が、その開口部先端にいくに従って、開口が広がる方向のテ−パ−面を有しており、凸状体の外周面及び内周面が、その両端にいくに従って、開口が狭くなる方向のテ−パ−面を有しており、前記凹状体と凸状体のそれぞれのテ−パ−面の傾斜角度が略等しく形成されており、前記凹状体内部に凸状体が嵌着されることにより、隣接温水パネルの凹状体どうしが密接することを特徴とする。係る構成から、凹状体と凸状体をスム−ズに相互にはめ込み嵌着させることができる。
【００１０】
本発明の請求項３の発明は、請求項１又は２に記載の床暖房用温水パネルにおいて、前記表面化粧材と床板基材とを係止具によって相互に脱着可能としたことを特徴とする。係る構成から、温水パネルに故障が発生したりして、修理のため温水パネルを露出させる必要が生じた時は、前記係止具を利用して表面化粧材を簡単に取り外すことができる。また、故障終了後簡単に元へもどせる。しかも、温水パネルの表面化粧材の全体を脱着させるので、従来タイプのように、床板表面の一部を蓋板のように取り外すのではないので、床板表面に余分な継ぎ目の生じることがない。
【００１１】
すなわち、本発明の床暖房用温水パネルによれば、温水パネル（１）と、それに隣接する温水パネル（１’）どうしを床下地材（７）上に敷設する際、それぞれの温水パイプ（２）の配管接続は温水パネル側面に設けられたコネクタ−部（６）を介して簡単に行うことができる。すなわち、温水パネル（１）を床下地材（７）上に敷設して施工し、先ず、１枚目の温水パネル（１）の側面に開孔したコネクタ−部（６）の凹状体（６ａ）に凸状体（６ｂ）を嵌着させる。
【００１２】
次に、その横にそれと隣接するべき２枚目の温水パネル（１’）を載置し、該、隣接温水パネル（１’）を横方向に滑らせて、温水パネルどうしの嵌合係止部（４）を相互にはめ合って、且つ、隣接温水パネル（１’）側面に設けられたコネクタ−部（６）の凹状体（６ａ）を前記、１枚目の温水パネル（１）に嵌着させた凸状体（６ｂ）にしっかりと嵌着させる。このようにして、隣接する温水パネルどうしをワンタッチで極めて簡単にしかも安定した連結強度をもって連結することができる。従って、従来タイプのように、床板表面に設けられた蓋板を取り外して、床板表面に開口した接続箇所を配管し、その作業終了後に蓋をして塞ぐというような煩雑な作業から解放される。さらに、蓋板の継ぎ目による床板表面意匠性の低下からも解放される。
【００１３】
すなわち、温水パネルの側面での接続ゆえに従来タイプのように施工に手間暇がかかったり、床板表面の配管用の蓋板のため、床板の表面意匠性が低下するなどの問題が生じない。本発明の温水パネル（１）においてはコネクタ−方式によってワンタッチで配管接続が完了するものである。
【００１４】
また、温水パネル（１）の種類として、温水パイプユニット（２）が温水パネル（１）の長手方向の左右両方にある全面温水パネル（１Ａ）と左右いずれか片方にある１／２温水パネル（右）（１ＢＲ）または１／２温水パネル（左）（１ＢＬ）の３種類があるので、それらを適宜組み合わせることによって、床板の長手方向に１／２ずらしのリャンコ貼りが可能となる。このリャンコ貼りは床板を部屋全体に敷設する際、床板のつなぎ目が集中せず適度に分散するので床板の張り上がりが美しく仕上がる。すなわち、施工後床板のつなぎ目が集中してしまって床板の意匠性が低下することがない。
【００１５】
また、部屋の周辺は通常、家具などが設置されるので暖める必要がない。従って、この部分には温水パイプユニット（２）の内蔵されていない通常の床板（９）を施工すればよい。１／２温水パネルと全面温水パネルを適宜組み合わせることが可能なので、施工に際して温水パネルの配置の自由度が大きくなって施工に大変便利である。
【００１６】
すなわち、床板基材（８）に内蔵された温水パイプユニット（２）が床板基材（８）の長手方向の左右両方に設けられた全面温水パネル（１Ａ）と、温水の通水方向から見て、床板基材（８）の長手方向の右半分に設けられた１／２温水パネル（右）（１ＢＲ）と、長手方向の左半分に設けられた１／２温水パネル（左）（１ＢＬ）の３種類があるので、施工に際して温水パネルの配置が自在となり、床板の継ぎ目が適度にバランス良く分散可能な１／２ずらしのリャンコ貼りが可能となる。
【００１７】
さらに、温水パネル（１）の側面に温水出入部としてコネクタ−部（６）が設けられ、該、コネクタ−部（６）は凹状体（６ａ）及びそれと嵌着する凸状体（６ｂ）とからなり、前記、温水パネル（１）の側面に前記、凹状体（６ａ）が設けられているので、温水パネル（１）の凹状体（６ａ）とそれに隣接する温水パネル（１’）の凹状体（６ａ）の間に、前記、凸状体（６ｂ）を嵌着させれば、極めて簡単にワンタッチで温水パイプユニット（２）どうしをしっかりと連結することができる。
【００１８】
また、コネクタ−部（６）の凹状体（６ａ）及び凸状体（６ｂ）を嵌着させる時、凹状体（６ａ）の内周面及び凸状体（６ｂ）の外周面が弾性体（６ｆ）で覆われ、前記、凹状体（６ａ）の内周面には小孔（６ｄ）が設けられ、凸状体の外周面には小突起（６ｅ）が設けられているので、小孔（６ｄ）に小突起（６ｅ）がはめ込まれ、凹状体（６ａ）と凸状体（６ｂ）とが、しっかり固定される。
【００１９】
温水パネル（１）には周囲に嵌合係止部（４）が設けられている。この嵌合係止部（４）は本実以外に、やとい実、相じゃくり等であっても良い。しかも、このコネクタ−部（６）が床板相互の嵌合係止部（４）の嵌合強度を補う形で働くので施工時、より一段としっかりした床板相互の結合が可能となる。
【００２０】
また、表面化粧材（５）と床板基材（８）とは係止具（１０）によって相互に脱着可能な構造を有している。温水パネル（１）に故障が生じたりして温水パイプ配管を露出させる必要が生じた時は、この係止具（１０）を利用して簡単に表面化粧材（５）を取り外すことが可能である。故障終了後、簡単に元へもどせ、しかも、温水パネル（１）全体の表面化粧材（５）を脱着させるので、従来タイプのように床板表面の１部分を蓋板のように取りはずすのではないので、床板表面に余分な継ぎ目が生じることがない。
【００２１】
【発明の実施の形態】
以下図面に従って詳しく説明する。図１は本発明の温水パネル（１）の１実施形態を示す平面模式図で、温水パイプ配管形状の１実施形態を示す。図２は図１におけるＡ−Ａ’断面を示す模式図である。図３は図１における縦方向の側面を示す模式図である。図４は本発明のコネクタ−部の１実施形態を示す模式図である。図５は本発明の隣接温水パネルどうしの接続箇所の１実施形態の断面を示す模式図である。図６は本発明の１実施形態における３種類の温水パネルを示す模式図である。図７は本発明の温水パネルの敷設状態の１実施形態を示す模式図である。
【００２２】
また、図中、１は温水パネルを示し、このうち、１Ａは全面温水パネル、１ＢＲは１／２温水パネル（右）、１ＢＬは１／２温水パネル（左）を示す。また、１’は隣接する温水パネルを示す。また、図中２は温水パイプユニット、３は均熱板、４は嵌合用係止部、５は表面化粧材、６はコネクタ−部を示し、このうち、６ａは凹状体、６ｂは凸状体を示し、６ｄは凹状体に設けられた小孔、６ｅは凸状体に設けられた小突起、６ｆは凹状体内周面及び凸状体外周面に設けられた弾性体を示し、７は床下地材を示す。８は床板基材を示し、９は温水パイプユニットの無い通常の床板を示す。１０は表面化粧材を床板基材に留めておく係止手段を示す。部屋の中央には温水パイプユニットにおける暖房可能部分を配置し、部屋の周辺部分には温水パイプユニットのない非暖房部分を配置する。図中矢印は温水の通水方向の１実施形態を示す。
【００２３】
図１において、温水パネル（１）の基材は合板、ＭＤＦなどの中比重繊維板、集成材、ＬＶＬ、パ−ティクルボ−ドやＯＳＢなどの削片板などの木質基材の他、合成樹脂成型体、合成樹脂中に木粉を混入して成型された人工木材、セラミック体などが使用できる。勿論これら以外であってもよい。
【００２４】
また、表面化粧材（５）は合板、繊維板、削片板、集成材その他の木質材料表面に、約０．１〜１．０ｍｍ程度のナラ、サクラ、ケヤキ、チ−ク、ウオルナット、または、これら以外の銘木突板、単板、などを貼着したものが最も良く用いられる。前記、突板、単板の厚みは約０．１〜１．０ｍｍ程度の厚みに限られるものではない。このほかに、塩化ビニル樹脂シ−ト、オレフィン樹脂シ−ト、化粧紙、薄手のカ−ペットなどの繊維質シ−ト、不織布などが良く用いられるが、これに限るものではない。また、これらの表面には木目印刷、抽象柄印刷があってもよいし、無地であってもよい。
【００２５】
また、温水パネル（１）としてのサイズは従来からある床板サイズが使い易く合理的である。１例として、幅３０３ｍｍ、長さ１８１８ｍｍ、厚さ１２〜１５ｍｍ程度のものが使いやすい。しかし、これに限られるものではない。前記、床板基材（８）中を貫通して温水パイプユニット（２）を適宜形状に折り返しをつけながら配設し、その上に温水パネル全面を均一に暖めるための均熱板（３）を載置する。さらに、床板基材（８）表面には表面化粧材（５）が設けられている。
【００２６】
前記、温水パイプユニット（２）の配管形状は図１に限ったものではなく、さまざまな配管形状が可能である。温水パイプユニット（２）の配管方向も図１のような床板基材（８）の長手方向の配管の他に短手方向の配管も可能である。
【００２７】
また、前記、温水パイプユニット（２）を床板基材（８）の長手方向の左右両方、又は左右いずれかに設置し、その上を均熱板（３）で覆う。この均熱板（３）は０．１〜３．０ｍｍ程度のアルミ板が適するが、アルミ以外の銅製、ジュラルミン製、真鍮製、鋼板製、その他金属製のものなどが利用できる。又、金属製以外のものであっても、熱伝導率の大きな材料であれば利用できる。
【００２８】
また、１実施形態として、温水パネル（１）の側面にはコネクタ−部（６）が、凹状体（６ａ）の開孔部が外へ向く方向に複数個設けられている。これは図１の例では４個取り付けられている。温水パイプユニット（２）の１ユニット当たり２個あれば良い。
【００２９】
図２、図３において、温水パイプ内蔵床板の厚みは、あまり薄いと温水パイプユニット（２）が内蔵困難であり、また、厚すぎると、床板から天井までの高さが低くなって、建具を納める場合に適さない。ちょうど良いのは表面化粧材（５）を含めて６〜２０ｍｍ程度が良い。そのうちでも標準の厚みとしては１２〜１５ｍｍ程度が最も良い。温水パイプの材質は、ポリエステル、ポリプロピレンなどの合成樹脂製パイプの他、アルミ製パイプ、銅製パイプなどの金属製パイプ等も利用できる。
【００３０】
また、本実施形態では、嵌合係止部（４）としての実が設けられている。これは、雄実、雌実からなる本実加工が実結合強度にとって最も良いがこれに限るものではない。本実以外のやとい実、相じゃくりその他であっても良い。
【００３１】
コネクタ−部（６）の１実施形態としては図４にあるように、コネクタ−部（６）の構造は、凹状体（６ａ）と凸状体（６ｂ）とからなっている。本発明のコネクタ−部（６）の凹状体（６ａ）及び凸状体（６ｂ）の材質は金属製、合成樹脂製などが良い。機械的強度耐久性に優れ、一定レベルの耐熱性があれば良い。また、凹状体（６ａ）の内周面及び凸状体（６ｂ）の外周面は例えばシリコン樹脂、テフロン樹脂などの滑りが良く耐熱性耐久性がある弾性体（６ｆ）で覆われているので、凹状体と凸状体をスム−ズに相互にはめ込み嵌着させることができる。
【００３２】
また、本実施形態では、凹状体（６ａ）の開孔部の一端に凸状体（６ｂ）の一端を差し込む際、凹状体（６ａ）の凹部内面に設けられた小孔（６ｄ）に凸状体（６ｂ）の凸部外面に設けられた小突起（６ｅ）が嵌着固定される構造とすることもできる。勿論、この方式以外の嵌着固定方式であっても良い。
【００３３】
このような凹状体（６ａ）と凸状体（６ｂ）とからなるコネクタ−部（６）の構造となっているので、温水パネル（１）を床下地材（７）の上に敷設する際に前記、コネクタ−部（６）を利用して温水パネル（１）と隣接温水パネル（１’）どうしをワンタッチでジョイント可能となるのである。温水パネル（１）の両側面に設けられた凹状体（６ａ）に凸状体（６ｂ）を嵌着させて極めて簡単に温水パイプどうしの連結ができる。
【００３４】
図６、図７において、本発明の温水パネル（１）を部屋に敷設する場合、温水パイプユニット（２）の配置によって、全面温水パネル（１Ａ）、１／２温水パネル（右）（１ＢＲ）、１／２温水パネル（左）（１ＢＬ）の３種類を組み合わせて施工する。すなわち、床板基材（８）に内蔵された温水パイプユニット（２）が床板基材（８）の長手方向の左右両方に設けられた全面温水パネル（１Ａ）と、温水の通水方向から見て、床板基材（８）の長手方向の右半分に設けられた１／２温水パネル（右）（１ＢＲ）と、長手方向の左半分に設けられた１／２温水パネル（左）（１ＢＬ）の３種類の温水パネルを用意すると良い。
【００３５】
それらの３通りの温水パネルを互いに１／２ずらし法、いわゆるリャンコ貼りにして部屋全体に施工する。部屋の周辺の家具等の下敷きになる箇所で、暖房して床表面を暖める必要のない部分の床板は温水パイプの配設されていない通常の床板（９）又は１／２温水パネルの温水ユニット（２）の設置されていない方をカットして使用すると良い。
【００３６】
このように１／２ずらしのリャンコ貼りにすると、そうでない場合と比較して床板施工後の意匠性が格段に向上する。本実施形態では床板の継ぎ目が図７に示すように、温水パネル（１）の長さである１８１８ｍｍのちょうど１／２寸法の９０９ｍｍの箇所にくるので見た目の外観がバランス良く意匠性が向上する。
【００３７】
また、表面化粧材（１）を脱着させる方式としては、木ダボ方式、マグネット方式のほか、マジックテ−プ方式などが利用できる。
【００３８】
【発明の効果】
本発明の床暖房用温水パネルによれば、隣接する温水パネルどうしの配管接続は温水パネル側面に設けられたコネクタ−部を利用してワンタッチで極めて簡単に行うことができる。また、温水パイプの接続を行う際、従来タイプのように、床板表面に蓋板を開口し、配管作業の際、それを取り外して作業する、ということがないので、床板表面に蓋板のつなぎ目が生じることがない。従って、床板の表面意匠性の低下からも免れる。
【図面の簡単な説明】
【図１】本発明の温水パネルの１実施形態を示す平面模式図。
【図２】図１におけるＡ−Ａ’断面模式図。
【図３】図１における縦方向の側面を示す模式図。
【図４】本発明のコネクタ−部の１実施形態を示す模式図。
【図５】本発明の隣接温水パネルどうしの接続箇所の１実施形態の断面を示す模式図。
【図６】本発明の１実施形態における３種類の温水パネルを示す模式図。
【図７】本発明の温水パネルの敷設状態の１実施形態を示す模式図。
【符号の説明】
１      温水パネル
１’    隣接温水パネル
１Ａ    全面温水パネル
１ＢＲ  １／２温水パネル（右）
１ＢＬ  １／２温水パネル（左）
２      温水パイプユニット
３      均熱板
４      嵌合用係止部
５      表面化粧材
６      コネクタ−部
６ａ    凹状体
６ｂ    凸状体
６ｄ    小孔
６ｅ    小突起
６ｆ    弾性体
７      床下地材
８      床板基材
９      温水パイプユニットの無い通常の床板
１０    係止具
【図１】
0003622643.tif 000002
【図２】
0003622643.tif 000003
【図３】
0003622643.tif 000004
【図４】
0003622643.tif 000005
【図５】
0003622643.tif 000006
【図６】
0003622643.tif 000007
【図７】
0003622643.tif 000008